(57)【要約】      （修正有）【課題】受配電設備の信頼性向上を図ることができるリモート監視システムを提供する。【解決手段】リモート監視システム１００は、電気設備４０に設置した絶縁劣化センサ４１と、電気設備４０の絶縁劣化状態を監視する監視デバイス１０と、絶縁劣化センサ４１から、継続的にサンプリングデータ３Ｄｓを収集するリモートステーション３０と、電気設備４０の絶縁劣化状態を診断するデータセンタ２０と、ネットワーク７、８とからなる。データセンタ２０は、サンプリングデータ２Ｄｓを蓄積した蓄積データ２Ｄｔと、蓄積データ２Ｄｔの各サンプリングデータを元に個別の絶縁劣化状態を診断する個別データ診断部２２を備える。【選択図】図１
2018082548.tif 000002
【特許請求の範囲】
【請求項１】
電気設備に設置した、前記電気設備の絶縁劣化状態を検出する絶縁劣化センサと、
前記電気設備の絶縁劣化状態を監視する監視デバイスと、
前記絶縁劣化センサから、継続的にサンプリングデータを収集するリモートステーションと、
前記電気設備の前記絶縁劣化状態を診断するデータセンタと、
前記監視デバイス、前記リモートステーション、及び前記データセンタを接続するネットワークとからなり、
前記データセンタは、前記サンプリングデータを蓄積した蓄積データの各前記サンプリングデータを元に個別の前記絶縁劣化状態を診断する個別データ診断部を備えたリモート監視システム。
【請求項２】
前記個別データ診断部が診断した個別診断結果を元に、現在の前記電気設備の絶縁劣化状態を総合的に診断する総合データ診断部を備えた請求項１に記載のリモート監視システム。
【請求項３】
前記総合データ診断部は、複数の前記個別診断結果を元に前記電気設備の総合診断結果を決定する請求項２に記載のリモート監視システム。
【請求項４】
前記データセンタは、前記監視デバイスからの診断要求を受けて前記絶縁劣化状態の診断を開始する請求項１から請求項３のいずれか１項に記載のリモート監視システム。
【請求項５】
前記データセンタは、前記絶縁劣化状態の診断を所定の周期で開始させるタイマ監視部を備える請求項１から請求項４のいずれか１項に記載のリモート監視システム。
【発明の詳細な説明】
【技術分野】
【０００１】
この発明は、受配電設備のリモート監視システムに関するものである。
【背景技術】
【０００２】
受配電設備のリモート監視システムでは、監視対象機器や設備の状態、計測値等をリモートステーション経由で、専用の監視デバイスに表示出力し、また、これらのデータをデータセンタに蓄積している。データセンタに蓄積されたデータは、監視デバイスから要求を出すことにより、監視デバイスを用いて閲覧することができる（例えば、特許文献１参照）。
【先行技術文献】
【特許文献】
【０００３】
【特許文献１】特開平２−１１９４９７号公報
【発明の概要】
【発明が解決しようとする課題】
【０００４】
ところで、受配電設備における点検作業は、設備を停電させて作業する必要があるため、作業中は通常稼働ができなくなる。そして、点検後に設置場所の温度や湿度など使用環境が変化した場合は、点検前後において受配電設備の絶縁劣化の進行具合が変化するため再点検が必要となるという課題があった。
【０００５】
この発明は、上記のような課題を解決するためになされたものであり、受配電設備の信頼性向上を図ることができると共に、保守点検の必要性を予め予測でき、点検作業における現地作業時間を削減することができるリモート監視システムを得ることを目的とする。
【課題を解決するための手段】
【０００６】
この発明に係るリモート監視システムは、
電気設備に設置した、前記電気設備の絶縁劣化状態を検出する絶縁劣化センサと、
前記電気設備の絶縁劣化状態を監視する監視デバイスと、
前記絶縁劣化センサから、継続的にサンプリングデータを収集するリモートステーションと、
前記電気設備の前記絶縁劣化状態を診断するデータセンタと、
前記監視デバイス、前記リモートステーション、及び前記データセンタを接続するネットワークとからなり、
前記データセンタは、前記サンプリングデータを蓄積した蓄積データの各前記サンプリングデータを元に個別の前記絶縁劣化状態を診断する個別データ診断部を備えたものである。
【発明の効果】
【０００７】
この発明に係るリモート監視システムによれば、
継続的に収集する電気設備の絶縁劣化センサからのサンプリングデータを個別に診断した個別診断結果から、電気設備の総合診断結果を診断できるので、電気設備の信頼性向上を図ることができると共に、保守点検の必要性を予め予測でき、点検作業における現地作業時間を削減することができる。
【図面の簡単な説明】
【０００８】
【図１】この発明の実施の形態１に係るリモート監視システムのシステム構成図である。
【図２】この発明の実施の形態１に係るリモート監視システム内で利用するデータの構成と各データの流れを示す図である。
【図３】この発明の実施の形態１に係る要求データの構成を示す図である。
【図４】この発明の実施の形態１に係る総合診断データの構成を示す図である。
【図５】この発明の実施の形態１に係るサンプリングデータの構成を示す図である。
【図６】この発明の実施の形態１に係る蓄積データの構成を示す図である。
【図７】この発明の実施の形態１に係る個別診断データの構成を示す図である。
【図８】この発明の実施の形態１に係るリモート監視システムの処理フローを示す図である。
【図９】この発明の実施の形態２に係るリモート監視システムのシステム構成図である。
【図１０】この発明の実施の形態２に係るリモート監視システムの処理フローを示す図である。
【発明を実施するための形態】
【０００９】
実施の形態１．
以下、この発明の実施の形態１に係るリモート監視システムを図を用いて説明する。
図１は、リモート監視システム１００のシステム構成図である。
リモート監視システム１００は、操作者が設備を監視するための端末である監視デバイス１０と、監視デバイス１０にインターネット７及びキャリア網８（ネットワーク）を介して接続され、設備の情報を集約するリモートステーション３０と、当該設備の情報を蓄積するデータセンタ２０と、リモート監視対象である受配電設備４０（電気設備）に設けた絶縁劣化センサ４１とからなる。
【００１０】
受配電設備４０は、リモート監視システム１００の被監視対象機器である。受配電設備４０には、当該設備の絶縁劣化状態を検出する絶縁劣化センサ４１を備える。
【００１１】
リモートステーション３０の他局通信部３５は、受配電設備４０の状態や故障の有無、計測値の情報を当該受配電設備４０から受け、或いは受配電設備４０に対して制御命令を出力する。リモートステーション制御部３４は、リモートステーション３０内の制御処理を担う。データ入出力部３３は、データの入出力を担い、キャリア網通信処理部３２は、リモートステーション３０とキャリア網８との間の通信を担う。
【００１２】
監視デバイス１０の通信処理部１４は、インターネット７との間の通信を担当する。データ処理部１５は、監視デバイス１０内でのデータ処理を担当し、ユーザインターフェース部１６は、監視デバイス１０を使用する操作者に、ユーザインターフェースを提供する。
【００１３】
データセンタ２０の通信処理部２４は、インターネット７との間の通信を担当する。データ入出力部２９は、データセンタ２０のデータ入出力を担当し、個別データ診断部２２及び総合データ診断部２５は、リモートステーション３０から受けたサンプリングデータを元に受配電設備４０の絶縁性能を診断する。データ保存部２１は、個別データ診断部２２、総合データ診断部２５が診断した結果の保存を担当する。
【００１４】
操作者が、受配電設備４０の絶縁劣化状態の表示要求をユーザインターフェース部１６からインプットすると、データ処理部１５にて当該要求が解析された後、通信処理部１４からデータセンタ２０に送信される。
【００１５】
リモートステーション３０は、他局通信部３５により、受配電設備４０の絶縁劣化状態を示す、絶縁劣化センサ４１のサンプリングデータを収集する。サンプリングデータは、リモートステーション制御部３４、データ入出力部３３を介して、キャリア網通信処理部３２にてデータセンタ２０へ送信されて蓄積される。
【００１６】
次に、リモート監視システム１００内で利用するデータについて説明する。
図２は、リモート監視システム１００内で利用するデータの構成と各データの流れを示す図である。
【００１７】
監視デバイス１０は、受配電設備４０の絶縁劣化状態の診断結果をデータセンタ２０に要求するための要求データ１Ｄｙと、要求により取得した総合診断データ１Ｄｋとを備える。
【００１８】
リモートステーション３０は、受配電設備４０に取り付けた絶縁劣化センサ４１から取得したサンプリングデータ３Ｄｓを備える。データセンタ２０は、リモートステーション３０から転送された先述のサンプリングデータ３Ｄｓと同じ内容のサンプリングデータ２Ｄｓと、サンプリングデータ２Ｄｓを蓄積して格納する蓄積データ２Ｄｔと、蓄積データ２Ｄｔを元に、各サンプリングデータ毎に、個別に受配電設備４０の絶縁劣化状態を診断した結果を格納する個別診断データ２Ｄｒと、監視デバイス１０から受け取った要求データ２Ｄｙの内容に基づいて、個別診断データ２Ｄｒを元に取得する総合診断データ２Ｄｋとを備える。
【００１９】
要求データ１Ｄｙと要求データ２Ｄｙとは同じ内容であり、総合診断データ１Ｄｋと総合診断データ２Ｄｋとは同じ内容である。
【００２０】
図３は、監視デバイス１０から、データセンタ２０に送信される要求データ１Ｄｙの構成を示す図である。要求データ１Ｄｙは、ユーザＩＤ（Ａ１）、センサＩＤ（Ａ２）、現在時刻Ａ３により構成されている。ユーザＩＤ（Ａ１）は、受配電設備４０の利用顧客、すなわち、受配電設備４０が設置されている施設を指す。センサＩＤ（Ａ２）には、絶縁劣化センサ４１を一意に識別する番号、記号等が格納される。現在時刻Ａ３は、監視デバイス１０からデータセンタ２０へ、要求データ１Ｄｙを送信する現在日時を格納する。
【００２１】
図４は、監視デバイス１０が、データセンタ２０から受信する総合診断データ１Ｄｋの構成を示す図である。上述のように総合診断データ１Ｄｋは、データセンタ２０が、監視デバイス１０に送信する総合診断データ２Ｄｋと同じである。総合診断データ１Ｄｋは、ユーザＩＤ（Ａ１）、センサＩＤ（Ａ２）、総合診断結果Ａ４により構成されている。ユーザＩＤ（Ａ１）、センサＩＤ（Ａ２）は、図３を用いて説明したものと同じ内容である。総合診断結果Ａ４には、要求データ１Ｄｙに記載された時刻における、受配電設備４０の絶縁劣化状態の最新の診断結果が格納される。
【００２２】
図５は、リモートステーション３０が、受配電設備４０の絶縁劣化センサ４１から受信するサンプリングデータ３Ｄｓの構成を示す図である。サンプリングデータ３Ｄｓは、データセンタ２０がリモートステーション３０から受信するサンプリングデータ２Ｄｓの内容と同じである。サンプリングデータ３Ｄｓは、絶縁劣化センサ４１が、受配電設備４０の絶縁劣化状態を示すセンサデータＡ６をサンプリングしたサンプリング時刻Ａ５、ユーザＩＤ（Ａ１）、センサＩＤ（Ａ２）、及びセンサデータＡ６により構成されている。センサデータＡ６は、絶縁劣化センサ４１から得られる漏れ電流値から算出する絶縁物の表面抵抗率である。この数値は、低い方が良好な絶縁劣化状態を示す。このように、サンプリングデータ３Ｄｓには、サンプリング時刻Ａ５における、各ユーザＩＤ（Ａ１）、センサＩＤ（Ａ２）に対応する絶縁劣化センサ４１のセンサデータＡ６が格納される。
【００２３】
図６は、データセンタ２０が有する蓄積データ２Ｄｔの構成を示す図である。蓄積データ２Ｄｔは、リモートステーション３０から受信したサンプリングデータ２Ｄｓを時系列に連続的に蓄積したものである。したがって、格納されているデータの項目は、サンプリングデータ２Ｄｓと同じである。
【００２４】
図７は、データセンタ２０が有する個別診断データ２Ｄｒの構成を示す図である。個別診断データ２Ｄｒは、ユーザＩＤ（Ａ１）、センサＩＤ（Ａ２）、診断実施時刻Ａ７、個別診断結果Ａ８により構成されている。各ユーザＩＤ（Ａ２）、センサＩＤ（Ａ２）毎に、各絶縁劣化センサ４１から得られた絶縁劣化状態を診断した診断実施時刻Ａ７と、個別診断結果Ａ８とが格納されている。個別診断結果Ａ８は、蓄積データ２Ｄｔに一端蓄積された、全てのサンプリングデータ２Ｄｓの個々のセンサデータＡ６を対象として下された個別の診断結果である。
【００２５】
次に、リモート監視システム１００の処理フローを図１、２、８を用いて説明する。
図８は、リモート監視システム１００の処理フローを示す図である。
まず、データセンタ２０の通信処理部２４は、監視デバイス１０から要求データ２Ｄｙが届いているか否かを監視する（ステップＳ００１）。
【００２６】
ステップＳ００１において要求データ２Ｄｙがあった場合は、個別データ診断部２２は、処理対象となる蓄積データ２Ｄｔがあれば読み込み（ステップＳ００２）、ユーザＩＤ、センサＩＤ毎に、センサデータＡ６の値に基づいて各受配電設備４０の絶縁劣化状態を個別のサンプリングデータ毎に診断し、個別診断結果Ａ８に当該診断結果の値を格納して個別診断データ２Ｄｒを更新生成する（ステップＳ００３）。その後、蓄積データ２Ｄｔの内容をクリアする。なお、センサデータＡ６の値に基づく絶縁劣化状態の診断の閾値は、受配電設備４０の仕様等により変動する。
【００２７】
次に、データセンタ２０の総合データ診断部２５は、所定の範囲の個別診断データ２Ｄｒから、受配電設備４０の現在における絶縁劣化状態の総合診断結果Ａ４を診断し、総合診断データ２Ｄｋを生成する（ステップＳ００４）。その結果を、データセンタ２０から受け取った監視デバイス１０は、監視デバイス１０上にこれを表示する（ステップＳ００５）。
【００２８】
個別診断データ２Ｄｒを読み込む範囲は、設置されている受配電設備４０の性格、仕様、季節等により、直近の個別診断データ２Ｄｒの値のみを採用する場合もあれば、直近の数分間分、数日分とする場合もある。所定の範囲の個別診断データ２Ｄｒから総合診断を行う場合は、その範囲の個別診断結果Ａ８の値の平均値を採用して総合診断結果Ａ４の値とする場合もあるし、当該所定の範囲の個別診断結果Ａ８の値に大きな変動が認められる場合、例えば、その範囲内において、個別診断結果Ａ８の値が大幅に変動したような場合は、総合診断結果Ａ４の値を個別診断結果Ａ８の値の平均値より下げる等の診断をすることにより、突発的な受配電設備の絶縁破壊を未然に防止することができる。
【００２９】
この発明の実施の形態１に係るリモート監視システム１００によれば、継続的に収集した受配電設備４０の絶縁劣化センサ４１からのサンプリングデータを個別に診断した個別診断結果Ａ８から、受配電設備４０の性格、仕様、季節等に応じて総合診断結果Ａ４を診断できるので、受配電設備４０の信頼性向上を図ることができると共に、保守点検の必要性を予め予測でき、点検作業における現地作業時間を削減することができる。
【００３０】
また、個別診断結果Ａ８の値の変動から、不定期的な絶縁劣化状態の変動を検出できるので、受配電設備４０の突発的な絶縁破壊を防止できる。
また、任意のタイミングで受配電設備４０の絶縁劣化状態を診断できるので、点検作業における現地作業時間の削減及び点検結果の信頼性の向上を図ることができる。
【００３１】
なお、ここでは、診断結果として、個別診断結果Ａ８から総合診断結果Ａ４を診断したが、個別診断結果Ａ８のみを利用して、監視デバイス１０上に個別診断データ２Ｄｒを表示するようにしても良い。
【００３２】
実施の形態２．
以下、この発明の実施の形態２に係るリモート監視システムを図を用いて実施の形態１と異なる部分を中心に説明する。
図９は、リモート監視システム２００のシステム構成図である。
図１０は、リモート監視システム２００の処理フローを示す図である。
本実施の形態で説明するリモート監視システム２００と実施の形態１で説明したリモート監視システム１００とのシステム構成上の違いは、リモート監視システム２００のデータセンタ２２０にタイマ監視部２２３が追加されている点である。
【００３３】
また、リモート監視システム２００の処理フローと実施の形態１で説明したリモート監視システム１００の処理フローとは、次の点で異なる。実施の形態１では、ステップＳ００１において診断実施要求の有無を判断していたのに対して、本実施の形態では、ステップＳ００１に代替するステップＳ２０１において、データセンタ２２０のタイマ監視部２２３により所定の周期で自発的に診断を実施し、その結果を監視デバイス１０に送る点である。
【００３４】
ステップＳ２０１において、タイマ監視部２２３が診断実施時刻の経過を検知すると、実施の形態１と同様に、ステップＳ００２からステップＳ００５の処理を実施する。
【００３５】
この発明の実施の形態２に係るリモート監視システム２００によれば、実施の形態１と同様の効果の他に、所定の周期で、受配電設備４０の絶縁劣化状態を診断できるので、受配電設備４０の信頼性を更に向上できる。
【００３６】
尚、本発明は、その発明の範囲内において、実施の形態１で示した監視デバイス１０から要求を発する構成と、実施の形態２で示したタイマ監視部２２３をトリガとして、診断を開始する構成とを組み合わせても良いし、各実施の形態を適宜、変形することが可能である。
【符号の説明】
【００３７】
１００，２００  リモート監視システム、１０  監視デバイス、１４  通信処理部、
１５  データ処理部、１６  ユーザインターフェース部、２０，２２０  データセンタ、２１  データ保存部、２２  個別データ診断部、２４  通信処理部、
２５  総合データ診断部、２９  データ入出力部、２２３  タイマ監視部、
３０  リモートステーション、３２  キャリア網通信処理部、３３  データ入出力部、
３４  リモートステーション制御部、３５  他局通信部、４０  受配電設備、
４１  絶縁劣化センサ、１Ｄｋ，２Ｄｋ  総合診断データ、
１Ｄｙ，２Ｄｙ  要求データ、２Ｄｒ  個別診断データ、
２Ｄｓ，３Ｄｓ  サンプリングデータ、２Ｄｔ  蓄積データ、７  インターネット、
８  キャリア網。
【図１】
2018082548.tif 000003
【図２】
2018082548.tif 000004
【図３】
2018082548.tif 000005
【図４】
2018082548.tif 000006
【図５】
2018082548.tif 000007
【図６】
2018082548.tif 000008
【図７】
2018082548.tif 000009
【図８】
2018082548.tif 000010
【図９】
2018082548.tif 000011
【図１０】
2018082548.tif 000012